(57)【要約】【課題】  配線作業が簡単であり、狭い領域でも設置が可能であり、設置後の回路変更や増設も容易である安全管理装置を提供する。【解決手段】  安全管理装置１は、複数のセンサ５０から出力される検知信号の各々に基づき第１のリレーＸ１を動作させて警報指令信号を出力する故障検出ユニット１０と、警報指令信号に基づき第２のリレーＹ１を動作させて第２の動作電力を出力する警報ユニット２０と、故障検知ユニット及び警報ユニットに対し、交流電源を変換した直流電力を出力する電源ユニット３０とを備え、各ユニットはそれぞれ独立した筐体に収納された構成を有する。各ユニットを所定の個所に固定し、それぞれの間を配線接続するだけで安全管理装置を構築できるから、システムの設計・施工が容易である。電源ユニットを独立して備えるので、設置環境に関わらずに、最適な電力を供給することが可能である。【選択図】  図１
2020170450.tif 000002
【特許請求の範囲】
【請求項１】
故障検出ユニット及び警報ユニットを備え、監視対象に設置した複数のセンサから出力される検知信号の各々に基づき、前記複数のセンサそれぞれに対応して設けられる複数の第１の警報装置及び少なくとも１つの第２の警報装置を動作させるための安全管理装置であって、
前記故障検出ユニットは、
前記複数のセンサごとに対応して設けられる複数の第１の信号入力部、及び、前記警報ユニットと電気的に接続される第１の信号出力部を有し、前記複数のセンサ各々から前記第１の信号入力部に入力される前記検知信号を前記第１の信号出力部から前記警報ユニットへ警報指令信号として出力するための信号出力回路と、
外部の第１の電源と電気的に接続される第１の電力入力部及び前記複数の第１の警報装置に対応して設けられる複数の第１の電力出力部を有し、前記第１の電源から前記第１の電力入力部に入力される第１の動作電力を前記第１の電力出力部それぞれから対応する前記第１の警報装置へ出力するための第１の電力出力回路と、
前記複数のセンサ及び前記複数の第１の警報装置ごとに対応して設けられ、前記検知信号の各々に基づき動作して、前記信号出力回路の開閉を制御することにより前記警報ユニットへの警報指令信号の出力を制御すると共に、前記第１の電力出力回路の開閉を制御することにより前記複数の第１の警報装置それぞれへの前記第１の動作電力の出力を制御する複数の第１のリレーとを有し、
前記警報ユニットは、
前記第１の信号出力部と電気的に接続され前記警報指令信号が入力される第２の信号入力部と、
外部の第２の電源と電気的に接続される第２の電力入力部及び前記第２の警報装置と電気的に接続される第２の電力出力部を有し、前記第２の電源から前記第２の電力入力部に入力される第２の動作電力を前記第２の電力出力部から前記第２の警報装置へ出力するための第２の電力出力回路と、
前記警報指令信号に基づき動作して、前記第２の電力出力回路の開閉を制御することにより、前記第２の警報装置への前記第２の動作電力の出力を制御する第２のリレーとを有し、
前記故障検知ユニット及び前記警報ユニットは、それぞれ独立した第１の筐体及び第２の筐体に収納された構成を有する、安全管理装置。
【請求項２】
前記第１のリレーは、前記検知信号が入力されてから予め定められる所定時間の経過後動作して、前記信号出力回路を開状態に設定するものであって、
前記信号出力回路は、前記検知信号が入力されてから前記第１のリレーが動作するまでの前記所定時間を継続時間とする前記警報指令信号を、前記警報ユニットへ出力するように設定され、
前記警報ユニットは、入力された前記警報指令信号の前記第２のリレーにおける通電時間を前記所定時間よりも長くするための延長手段を更に備える、請求項１記載の安全管理装置。
【請求項３】
前記故障検出ユニットは、第３の電源と電気的に接続され第３の動作電力が入力される第３の電力入力部を有すると共に前記第１のリレーの動作時に閉となる接点を通じて前記第３の動作電力により前記第１のリレーに通電するための第１のリレー通電回路と、前記第１のリレー通電回路の開閉を制御する制御スイッチとを更に含み、
前記第１のリレー通電回路は、前記第１のリレーが動作した状態で前記検知信号の入力が停止した後に前記第１のリレーの通電状態を維持するものである、請求項１又は請求項２記載の安全管理装置。
【請求項４】
前記複数のセンサとは異なる別の複数のセンサ及びこれら別の複数のセンサそれぞれに対応して設けられる別の複数の第１の警報装置それぞれと電気的に接続される１つ以上の別の故障検出ユニットを更に含み、
前記各故障検出ユニットそれぞれの前記第１の電力入力部どうし及び前記第１の信号出力部どうしが配線接続されることにより、複数の前記故障検出ユニットが直列に接続される、請求項１から請求項３のいずれかに記載の安全管理装置。
【請求項５】
前記警報ユニットは、
前記第３の電源と電気的に接続され第４の動作電力が入力される第４の電力入力部、
前記第４の電力入力部と電気的に接続され前記第２のリレーの動作時に閉となる接点を介して前記第２のリレーに通電するための第２のリレー通電回路、
前記第４の電力入力部と電気的に接続され前記第２のリレー通電回路の開閉を制御する第３のリレー、及び、
前記第４の電力入力部と電気的に接続され、前記第２のリレーの動作により動作を開始して、前記第３のリレーにおける通電状態を設定時間に従って制御するタイマーを更に備える、請求項１から請求項４のいずれかに記載の安全管理装置。
【請求項６】
独立した第３の筐体に収納された構成を有し、前記故障検知ユニットに対し前記第３の動作電力を出力し、前記警報ユニットに対し前記第４の動作電力を出力する電源ユニットを更に備える、請求項１から請求項５のいずれかに記載の安全管理装置。
【請求項７】
前記警報ユニットは、前記第４の電力入力部と電気的に接続される第３の電力出力部を有する第３の電力出力回路と、前記第３の電力出力回路の開閉を制御する開閉スイッチとを更に備え、
前記警報ユニットの前記第３の電力出力部と、前記故障検出ユニットの前記第３の電力入力部とが電気的に接続され、
前記電源ユニットが前記警報ユニットに電気的に接続され、前記電源ユニットから前記警報ユニットへ入力される前記第４の動作電力が、前記故障検出ユニットへ第３の動作電力として出力される、請求項６記載の安全管理装置。
【請求項８】
前記電源ユニットは交流電力を変換した直流電力を出力するものであり、前記第１のリレー及び前記第２のリレーは直流で動作するメカニカルリレーである、請求項６又は請求項７記載の安全管理装置。
【請求項９】
前記第１の警報装置は光、文字、記号、図形等の視覚的警報を出力するものであり、
前記第２の警報装置は警報音、音声メッセージ等の音響的警報を出力するものである、
請求項１から請求項８のいずれかに記載の安全管理装置。
【請求項１０】
前記故障検出ユニットが収納される前記第１の筐体は、直方体状であって、その正面に前記第１の電力入力部、前記第１の電力出力部、前記第１の信号入力部、及び前記第１の信号出力部が設けられ、背面に設置対象面へ固定するための第１の取付部が設けられ、
前記故障検出ユニットは、前記第１のリレーが装着される第１の基板を有し、
前記第１の基板は、前記第１の筐体の正面から背面へ向かう方向へ起立するように前記第１の筐体内に配置される、請求項１から請求項９のいずれかに記載の安全管理装置。
【請求項１１】
前記警報ユニットが収納される前記第２の筐体は、直方体状であって、その正面に前記第２の信号入力部、第２の電力入力部及び前記第２の出力部が設けられ、背面に設置対象面へ固定するための第２の取付部が設けられ、
前記警報ユニットは、前記第２のリレーが装着される第２の基板を有し、
前記第２の基板は、前記第２の筐体の正面から背面へ向かう方向へ起立するように前記第２の筐体内に配置される、請求項１から請求項１０のいずれかに記載の安全管理装置。
【請求項１２】
前記第１の筐体、前記第２の筐体、及び前記第３の筐体は、それぞれ高さ寸法と奥行き寸法とを共通にした直方体状である、請求項１０又は請求項１１記載の安全管理装置。
【発明の詳細な説明】
【技術分野】
【０００１】
本発明は安全管理装置に関し、特に、装置や設備に異常や故障が生じたときに、これを検知したセンサから出力される検知信号に基づき、表示灯、ベル、ブザー等の警報装置を動作させる安全管理装置に関するものである。
【背景技術】
【０００２】
工場等の生産設備やプラント等の製造現場、あるいは公共施設等において、各種設備をコントロールし安全管理を行うため制御盤が設けられる。一般に制御盤は、各種設備に組み込まれた装置やシステム等の稼働状態を管理するために設置されるものであり、装置やシステムに故障や異常が生じたときには、速やかに故障や異常の発生を通報すると共に、問題のある個所を表示するように構成される。従って設備等の管理者は、制御盤の表示内容から問題の発生個所を把握し、点検や補修等の必要な修復作業を適切に行うことができる。
【０００３】
このような制御盤は、例えば特許文献１に記載される。この種の制御盤は、装置やシステムの故障や異常の検出をセンサ等からの検知信号の入力で行い、故障や異常の発生の通報はベルやブザー等の警報装置を動作させることで行い、問題のある個所の表示はＬＥＤ等の表示灯の点灯で行う。
【０００４】
制御盤の設置は、予め定められた設置領域において、検知信号の入力用の端子台、警報装置及び表示灯への出力用の端子台、リレー、タイマー、その他の電気部品を設計図通りに配置すると共に、それぞれを配線接続して制御回路を構成するという作業を行う。
【先行技術文献】
【特許文献】
【０００５】
【特許文献１】特開平５−４６８９０号公報
【発明の概要】
【発明が解決しようとする課題】
【０００６】
上に述べたように、従来の制御盤は、通常、限られた面積の設置領域において、設計図に従い部品の組付け及び配線接続を行って設置するものであり、作業が煩雑である。特に監視対象の個数が多くなり、センサの個数が増えるほど配線作業が複雑になるため、作業の困難性が増大する。又、制御盤の回路は設計図に従って構築されるため、これを後で変更するのは非常に難しい。更に回路の増設は、設置領域に予備のリレー等を予め組み付けておくことで対応できる場合もあるが、大幅な増設は不可能なことが多い。そこで、制御盤内に多数の予備用のリレーを組み付けた未使用スペースを予め確保するように当初から設計することも考えられるが、この場合は、予備のリレーを組み込むことによりコストの増大を招くと共に、制御盤が大型化するため必要以上に広い面積の設置領域を準備しなくてはならないという問題が生じる。
【０００７】
本発明は、上記のような課題を解決するためになされたものであって、配線作業が簡単であり、狭い領域でも設置が可能であり、設置後の回路変更や増設も容易である、従来の制御盤に代わる安全管理装置を提供することを目的とする。
【課題を解決するための手段】
【０００８】
上記の目的を達成するために、請求項１記載の発明は、故障検出ユニット及び警報ユニットを備え、監視対象に設置した複数のセンサから出力される検知信号の各々に基づき、複数のセンサそれぞれに対応して設けられる複数の第１の警報装置及び少なくとも１つの第２の警報装置を動作させるための安全管理装置であって、故障検出ユニットは、複数のセンサごとに対応して設けられる複数の第１の信号入力部、及び、警報ユニットと電気的に接続される第１の信号出力部を有し、複数のセンサ各々から第１の信号入力部に入力される検知信号を第１の信号出力部から警報ユニットへ警報指令信号として出力するための信号出力回路と、外部の第１の電源と電気的に接続される第１の電力入力部及び複数の第１の警報装置に対応して設けられる複数の第１の電力出力部を有し、第１の電源から第１の電力入力部に入力される第１の動作電力を第１の電力出力部それぞれから対応する第１の警報装置へ出力するための第１の電力出力回路と、複数のセンサ及び複数の第１の警報装置ごとに対応して設けられ、検知信号の各々に基づき動作して、信号出力回路の開閉を制御することにより警報ユニットへの警報指令信号の出力を制御すると共に、第１の電力出力回路の開閉を制御することにより複数の第１の警報装置それぞれへの第１の動作電力の出力を制御する複数の第１のリレーとを有し、警報ユニットは、第１の信号出力部と電気的に接続され警報指令信号が入力される第２の信号入力部と、外部の第２の電源と電気的に接続される第２の電力入力部及び第２の警報装置と電気的に接続される第２の電力出力部を有し、第２の電源から第２の電力入力部に入力される第２の動作電力を第２の電力出力部から第２の警報装置へ出力するための第２の電力出力回路と、警報指令信号に基づき動作して、第２の電力出力回路の開閉を制御することにより、第２の警報装置への第２の動作電力の出力を制御する第２のリレーとを有し、故障検知ユニット及び警報ユニットは、それぞれ独立した第１の筐体及び第２の筐体に収納された構成を有するものである。
【０００９】
このように構成すると、故障検出ユニットの第１の信号入力部、第１の電力入力部、第１の電力出力部それぞれにセンサ、第１の電源、第１の警報装置を接続し、警報ユニットの第２の電力入力部、第２の電力出力部それぞれに第２の電源及び第２の警報装置を接続し、故障検出ユニットの第１の信号出力部と警報ユニットの第２の信号入力部とを配線接続することで、安全管理装置が構築される。この安全管理装置は、故障検出ユニットに、センサからの検知信号が入力されると、信号出力回路が警報指令信号を警報ユニットへ出力すると共に、センサに対応する第１のリレーが動作して、第１の電力出力回路がセンサに対応する第１の警報装置へ第１の動作電力を出力し、この第１の警報装置を動作させる。警報ユニットに警報指令信号が入力されると、第２のリレーが動作し、第２の電力出力回路が第２の動作電力を第２の警報装置へ出力し、第２の警報装置を動作させる。
【００１０】
請求項２記載の発明は、請求項１記載の発明の構成において、第１のリレーは、検知信号が入力されてから予め定められる所定時間の経過後動作して、信号出力回路を開状態に設定するものであって、信号出力回路は、検知信号が入力されてから第１のリレーが動作するまでの所定時間を継続時間とする警報指令信号を、警報ユニットへ出力するように設定され、警報ユニットは、入力された警報指令信号の第２のリレーにおける通電時間を所定時間よりも長くするための延長手段を更に備えるものである。
【００１１】
このように構成すると、信号出力回路は、検知信号が出力されてから第１のリレーが動作して信号回路を開状態にするまでの所定時間の長さの信号を、警報指令信号として警報ユニットへ出力する。警報ユニットでは、延長手段により延長された長さの警報指令信号を第２のリレーに通電して、第２のリレーを動作させることにより、第２の警報装置を動作させる。警報指令信号は、その継続時間が第１のリレーの動作時間に相当するごく短いパルス状のものとなる。
【００１２】
請求項３記載の発明は、請求項１又は請求項２記載の発明の構成において、故障検出ユニットは、第３の電源と電気的に接続され第３の動作電力が入力される第３の電力入力部を有すると共に第１のリレーの動作時に閉となる接点を通じて第３の動作電力により第１のリレーに通電するための第１のリレー通電回路と、第１のリレー通電回路の開閉を制御する制御スイッチとを更に含み、第１のリレー通電回路は、第１のリレーが動作した状態で検知信号の入力が停止した後に第１のリレーの通電状態を維持するものである。
【００１３】
このように構成すると、制御スイッチで回路を閉にすると、センサからの検知信号の入力が停止した後も、第１のリレーの通電状態が維持されるため、第１の警報装置の動作が持続する。
【００１４】
請求項４記載の発明は、請求項１から請求項３のいずれかに記載の発明の構成において、複数のセンサとは異なる別の複数のセンサ及びこれら別の複数のセンサそれぞれに対応して設けられる別の複数の第１の警報装置それぞれと電気的に接続される１つ以上の別の故障検出ユニットを更に含み、各故障検出ユニットそれぞれの第１の電力入力部どうし及び第１の信号出力部どうしが配線接続されることにより、複数の故障検出ユニットが直列に接続されるものである。
【００１５】
このように構成すると、複数の故障検出ユニットを直列に配線接続するので、第１の電源からの第１の動作電力の供給及び警報ユニットに対する警報指令信号の伝送が、共通の配線を通じて実行される。
【００１６】
請求項５記載の発明は、請求項１から請求項４のいずれかに記載の発明の構成において、警報ユニットは、第３の電源と電気的に接続され第４の動作電力が入力される第４の電力入力部、第４の電力入力部と電気的に接続され第２のリレーの動作時に閉となる接点を介して第２のリレーに通電するための第２のリレー通電回路、第４の電力入力部と電気的に接続され第２のリレー通電回路の開閉を制御する第３のリレー、及び、第４の電力入力部と電気的に接続され、第２のリレーの動作により動作を開始して、第３のリレーにおける通電状態を設定時間に従って制御するタイマーを更に備えるものである。
【００１７】
このように構成すると、警報ユニットに警報指令信号が入力されて第２のリレーが動作することにより、第２のリレー通電回路が通電状態になり、第２のリレーがタイマーを動作させる。設定時間の経過後、タイマー接点が閉となり、第３のリレーを動作させる。これにより、第２リレーの通電状態が停止され、第２の電力出力回路が開状態となり、第２の警報装置を停止させる。
【００１８】
請求項６記載の発明は、請求項１から請求項５のいずれかに記載の発明の構成において、独立した第３の筐体に収納された構成を有し、故障検知ユニットに対し第３の動作電力を出力し、警報ユニットに対し第４の動作電力を出力する電源ユニットを更に備えるものである。
【００１９】
このように構成すると、安全管理装置を、故障検知ユニット及び警報ユニットと、これらに対し動作電力を出力する電源ユニットとで構成される。
【００２０】
請求項７記載の発明は、請求項６記載の発明の構成において、警報ユニットは、第４の電力入力部と電気的に接続される第３の電力出力部を有する第３の電力出力回路と、第３の電力出力回路の開閉を制御する開閉スイッチとを更に備え、警報ユニットの第３の電力出力部と、故障検出ユニットの第３の電力入力部とが電気的に接続され、電源ユニットが警報ユニットに電気的に接続され、電源ユニットから警報ユニットへ入力される第４の動作電力が、故障検出ユニットへ第３の動作電力として出力されるものである。
【００２１】
このように構成すると、電源ユニットから、警報ユニットを介して、故障検出ユニットへ、動作電力が供給される。開閉スイッチで、故障検出ユニットへの電力供給を制御できる。
【００２２】
請求項８記載の発明は、請求項６又は請求項７記載の発明の構成において、電源ユニットは交流電力を変換した直流電力を出力するものであり、第１のリレー及び第２のリレーは直流で動作するメカニカルリレーであるものである。
【００２３】
このように構成すると、電源ユニットは交流電力を変換して直流電力を出力し、この直流電力により、第１のリレー及び第２のリレーの通電状態を保持する。
【００２４】
請求項９記載の発明は、請求項１から請求項８のいずれかに記載の発明の構成において、第１の警報装置は光、文字、記号、図形等の視覚的警報を出力するものであり、第２の警報装置は警報音、音声メッセージ等の音響的警報を出力するものである。
【００２５】
このように構成すると、作業者・管理者に対し、第１の警報装置が光・文字・記号・図形等の視覚的警報を出力し、第２警報装置が、ベル・ブザー・音声メッセージ等の音響的警報を出力する。
【００２６】
請求項１０記載の発明は、請求項１から請求項９のいずれかに記載の発明の構成において、故障検出ユニットが収納される第１の筐体は、直方体状であって、その正面に第１の電力入力部、第１の電力出力部、第１の信号入力部、及び第１の信号出力部が設けられ、背面に設置対象面へ固定するための第１の取付部が設けられ、故障検出ユニットは、第１のリレーが装着される第１の基板を有し、第１の基板は、第１の筐体の正面から背面へ向かう方向へ起立するように第１の筐体内に配置されるものである。
【００２７】
このように構成すると、第１の電力入力部、第１の電力出力部、第１の信号入力部、及び第１の信号出力部を第１の筐体の正面に配置したので、設置対象面へ固定したときに、これらが設置対象面から突出する位置となる。第１の基板は、設置対象面に対し起立する姿勢に配置されるから、第１の取付部に必要な幅寸法は、第１のリレー等を実装した基板の厚み方向の寸法より大きい寸法である。
【００２８】
請求項１１記載の発明は、請求項１から請求項１０のいずれかに記載の発明の構成において、警報ユニットが収納される第２の筐体は、直方体状であって、その正面に第２の信号入力部、第２の電力入力部及び第２の出力部が設けられ、背面に設置対象面へ固定するための第２の取付部が設けられ、警報ユニットは、第２のリレーが装着される第２の基板を有し、第２の基板は、第２の筐体の正面から背面へ向かう方向へ起立するように第２の筐体内に配置されるものである。
【００２９】
このように構成すると、第２の信号入力部、第２の電力入力部及び第２の電力出力部を第２の筐体の正面に配置したので、設置対象面へ固定したときに、これらが設置対象面から突出する位置となる。第２の基板は、設置対象面に対し起立する姿勢に配置されるから、第２の取付部に必要な幅寸法は、第２のリレー等を実装した基板の厚み方向の寸法より大きな寸法である。
【００３０】
請求項１２記載の発明は、請求項１０又は請求項１１記載の発明の構成において、第１の筐体、第２の筐体、及び第３の筐体は、それぞれ高さ寸法と奥行き寸法とを共通にした直方体状であるものである。
【００３１】
このように構成すると、各筐体の高さ寸法及び奥行き寸法が共通化されるので、各ユニットを隣接させて設置したときに全体が一体化する。
【発明の効果】
【００３２】
以上説明したように、請求項１記載の発明によれば、故障検出ユニット及び警報ユニットは、互いに独立した構成の筐体内に、必要な回路を組み込んだものであるから、各ユニットを所定の個所に固定し、これにセンサ、第１及び第２の電源、第１及び第２の警報装置を接続すると共に、ユニット間を配線接続するだけで安全管理装置を構築することができる。よって、従来の制御盤のような複雑な配線接続作業を不要にでき、システムの設計・施工が容易になる。
【００３３】
請求項２記載の発明によれば、請求項１記載の発明の効果に加えて、パルス状の警報指令信号で第２の警報装置を動作させることができるから、センサの動作時間が短くても、確実に第２の警報装置を動作させることができる。
【００３４】
請求項３記載の発明によれば、請求項１又は請求項２記載の発明の効果に加えて、センサが検知信号の出力を停止した後でも、制御スイッチをＯＦＦにするか又は第１のリレー通電回路への電力供給を停止しない限り、第１の警報装置が動作し続けるから、安全管理上、重大な故障や異常を検知するセンサに対応する第１のリレー通電回路の制御スイッチをＯＮに設定することにより、重大な故障や異常が看過されるのを防止することができる。
【００３５】
請求項４記載の発明によれば、請求項１から請求項３のいずれかに記載の発明の効果に加えて、複数の故障検出ユニットを直列に接続するだけで、それらを安全管理装置に組み込めるので、監視対象のセンサ数に応じ故障検出ユニットの増設が容易である。
【００３６】
請求項５記載の発明によれば、請求項１から請求項４のいずれかに記載の発明の効果に加えて、第２の警報装置の動作時間を、タイマーにより設定することができる。
【００３７】
請求項６記載の発明によれば、請求項１から請求項５のいずれかに記載の発明の効果に加えて、電源ユニットを備えることにより、様々に異なる設置環境下においても、故障検知ユニット及び警報ユニットに対し、適切な動作電力を供給することができる。
【００３８】
請求項７記載の発明によれば、請求項６記載の発明の効果に加えて、電源ユニット、警報ユニット、故障検出ユニット間の配線接続が簡単になる。開閉スイッチにより故障検出ユニットへの電力供給を停止することにより、制御スイッチがＯＮの状態でも、第１のリレー通電回路の通電を停止させて、第１のリレー及び第１の警報装置を初期状態に復帰させることができる。
【００３９】
請求項８記載の発明によれば、請求項６又は請求項７記載の発明の効果に加えて、交流電源しか用意されていない環境や直流電源の引き込みが難しい環境でも、直流動作式リレーを備える故障検出ユニット及び警報ユニットを使用することが可能である。直流動作式のメカニカルリレーは、半導体リレー等に比べて、一般に絶縁性能に優れ耐電圧性が高いので、安全管理装置の動作確実性を担保するうえで有利である。
【００４０】
請求項９記載の発明によれば、請求項１から請求項８のいずれかに記載の発明の効果に加えて、センサの検知信号に対し、異なる種類の警報が出力されるから、注意喚起が確実である。視覚的警報は、同時に出力されたときでも識別しやすいので、故障個所の確認が容易である。
【００４１】
請求項１０記載の発明によれば、請求項１から請求項９のいずれかに記載の発明の効果に加えて、第１の電力入力部、第１の電力出力部、第１の信号入力部、及び第１の信号出力部が設置対象面から突出する位置に配置されるので、これらに配線を接続する作業が容易になる。第１の基板が設置対象面に対し起立することにより、第１の取付部の幅寸法、即ち故障検出ユニットの幅寸法を狭くできる。これにより、故障検出ユニットを取り付けるために必要な面積が小さくなるから、良好なスペースファクターが得られ、狭い設置対象面でも、故障検出ユニットの設置及び増設が可能となる。
【００４２】
請求項１１記載の発明によれば、請求項１から請求項１０のいずれかに記載の発明の効果に加えて、第２の信号入力部、第２の電力入力部及び第２の電力出力部が設置対象面から突出する位置に配置されるので、これらに配線を接続する作業が容易になる。第２の基板が設置対象面に対し起立することにより、第２の取付部の幅寸法、即ち警報ユニットの幅寸法を狭くできる。これにより、警報ユニットを取り付けるために必要な面積が小さくなるから、良好なスペースファクターが得られ、狭い設置対象面でも、警報ユニットの設置が可能となる。
【００４３】
請求項１２記載の発明によれば、請求項１０又は請求項１１記載の発明の効果に加えて、各ユニットが一体化することにより、優れた美観性が得られる。隣接するユニット間に隙間が生じないので、隣接するユニットの間に塵埃が侵入しにくくなる。このため、隣接するユニットの筐体における隣接する側面部の隔壁の一部を省略することが可能となる。
【図面の簡単な説明】
【００４４】
【図１】本発明の第１の実施の形態による安全管理装置を構成する故障検出ユニット、警報ユニット、及び電源ユニットを、正面を上向きにした状態で示す斜視図である。
【図２】本発明の第１の実施の形態による故障検出ユニットを、正面を上向きにし、側壁の一部を取り外した状態で示す斜視図である。
【図３】本発明の第１の実施の形態による故障検出ユニットの正面図である。
【図４】本発明の第１の実施の形態による警報ユニットを、正面を上向きにし、側壁の一部を取り外した状態で示す斜視図である。
【図５】本発明の第１の実施の形態による警報ユニットの正面図である。
【図６】本発明の第１の実施の形態による電源ユニットを、正面を上向きにした状態で示す斜視図である。
【図７】本発明の第１の実施の形態による電源ユニットの正面図である。
【図８】本発明の第１の実施の形態による安全管理装置の機能的構成を概略的に示すブロック図である。
【図９】本発明の第１の実施の形態による故障検出ユニット、警報ユニット、及び電源ユニットの配線接続状況を模式的に示す概略図である。
【図１０】本発明の第１の実施の形態による故障検出ユニットの回路構成を示す回路図である。
【図１１】本発明の第１の実施の形態による警報ユニットの回路構成を示す回路図である。
【図１２Ａ】本発明の第１の実施の形態による故障検出ユニットの回路動作を説明するための回路図であって、初期状態を示すものである。
【図１２Ｂ】本発明の第１の実施の形態による故障検出ユニットの回路動作を説明するための回路図であって、検知信号の入力時を示すものである。
【図１２Ｃ】本発明の第１の実施の形態による故障検出ユニットの回路動作を説明するための回路図であって、第１のリレーの動作時の状態を示すものである。
【図１２Ｄ】本発明の第１の実施の形態による故障検出ユニットの回路動作を説明するための回路図であって、制御スイッチをＯＮにした状態での動作を示すものである。
【図１３Ａ】本発明の第１の実施の形態による警報ユニットの回路動作を説明するための回路図であって、初期状態を示すものである。
【図１３Ｂ】本発明の第１の実施の形態による警報ユニットの回路動作を説明するための回路図であって、警報指令信号が入力された状態を示すものである。
【図１３Ｃ】本発明の第１の実施の形態による警報ユニットの回路動作を説明するための回路図であって、第２のリレーが動作して、第２の動作電力が出力されている状態を示すものである。
【図１３Ｄ】本発明の第１の実施の形態による警報ユニットの回路動作を説明するための回路図であって、タイマーが動作して、タイマー接点がＯＮになった直後の状態を示すものである。
【図１３Ｅ】本発明の第１の実施の形態による警報ユニットの回路動作を説明するための回路図であって、第３のリレーが動作して、第１のリレーがＯＦＦになり、第２の動作電力の出力が停止した状態を示すものである。
【図１３Ｆ】本発明の第１の実施の形態による警報ユニットの回路動作を説明するための回路図であって、表示復帰スイッチをＯＮにすることにより、第４のリレーを動作させて、第３の動作電力の出力を停止させた状態を示すものである。
【発明を実施するための形態】
【００４５】
図１は、本発明の第１の実施の形態による安全管理装置を構成する故障検出ユニット、警報ユニット、及び電源ユニットを、正面を上向きにした状態で示す斜視図であり、図２は、故障検出ユニットを、正面を上向きにし、側壁の一部を取り外した状態で示す斜視図であり、図３は、故障検出ユニットの正面図であり、図４は、警報ユニットを、正面を上向きにし、側壁の一部を取り外した状態で示す斜視図であり、図５は、警報ユニットの正面図であり、図６は、電源ユニットを、正面を上向きにした状態で示す斜視図であり、図７は、電源ユニットの正面図である。
【００４６】
この実施の形態の安全管理装置１は、設備、装置、機器等の動作状態や設置環境を監視するセンサから出力される検知信号に基づいて、ベル又はブザーを含む警報装置を動作させると共に、検出信号を出力したセンサの位置を表示するＬＥＤ等の表示灯の点灯状態を制御するものである。ここで、センサの位置を表示するＬＥＤ等の表示灯が、本発明の第１の警報装置に相当し、ベル又はブザーを含む警報装置が、本発明の第２の警報装置に相当する。又、本例では、第２の警報装置として、ベルとブザーの２種類が使用される。
【００４７】
図１に示すように、安全管理装置１は、故障検出ユニット１０、警報ユニット２０、及び電源ユニット３０を備え、各ユニット１０、２０、３０はいずれも高さ寸法Ｈと奥行き寸法Ｄとを共通にしたほぼ直方体状の筐体１５、２５、３５に収納されて独立した構成を有している。また各ユニット１０、２０、３０は、それぞれの正面１０ａ、２０ａ、３０ａに端子台やスイッチ等が配置され、背面１０ｃに設置個所へ固定するための第１〜第３の取付部１４、２４、３４が設けられた構成となっている。従って本例の安全管理装置１は、図示のように各ユニットを隣接させて設置したときに、各筐体１５、２５、３５の高さ寸法Ｈ及び奥行き寸法Ｄが共通なので全体が一体化すると共に、正面側に端子台やスイッチ類が集約されるため、優れた美観性を呈するだけでなく、ユニット間の配線接続作業が容易になるという利点が得られるものである。
【００４８】
以下、各ユニットごとに構成を説明する。
【００４９】
［故障検出ユニット］
図２及び図３に示す故障検出ユニット１０は、ほぼ直方体状の筐体１５に収納された構成を有し、正面１０ａに配置された第１の端子台１１及び第２の端子台１２と、底面１０ｂに配置された制御スイッチ１３と、背面側に設けられたフランジ状の第１の取付部１４と、第１の筐体１５内に配置され、複数の第１のリレーＸ１〜Ｘ８が装着された第１の基板Ｂ１とを有する。
【００５０】
第１の端子台１１は、複数のセンサと電気的に接続され検知信号が入力される端子Ｔ１〜Ｔ８と、センサに対応して設けられた複数の表示灯と電気的に接続される端子Ｔ９〜Ｔ１６とを有している。端子Ｔ１〜Ｔ８が第１の信号入力部Ｕ１１を構成し、端子Ｔ９〜Ｔ１６が第１の電力出力部Ｗ１２を構成する。尚、符号が割り振られていない端子は不使用のものである。
【００５１】
第２の端子台１２は、表示灯を点灯させるための電力が入力される端子Ｐ１、Ｐ２と、第１のリレーＸ１〜Ｘ８へ供給される第３の動作電力が入力される端子Ｐ３、Ｐ４と、警報指令信号を出力するための端子Ｐ５、Ｐ６とを有している。端子Ｐ３、Ｐ４が第３の電力入力部Ｗ３１を構成し、端子Ｐ５、Ｐ６が第１の信号出力部Ｕ１２を構成する。
【００５２】
本例では、端子Ｐ１、Ｐ２には交流電力が入力され、端子Ｐ１が正極に対応し、端子Ｐ２が負極に対応する。端子Ｐ３、Ｐ４には直流電力が入力され、端子Ｐ３が負極に対応し、端子Ｐ４が正極に対応する。端子Ｐ５、Ｐ６は、ベル又はブザーを動作させるための警報指令信号を出力する。尚、両端のネジ１７、１８は、第２の端子台１２を筐体１５に固定するためのものである。
【００５３】
第１の基板Ｂ１は、センサに対応した個数の第１のリレーＸ１〜Ｘ８が実装される故障検出回路を含み、検知信号に基づく第１のリレーの動作により、警報指令信号を出力するための信号出力回路を形成すると共に、表示灯の点灯状態を制御するための第１の電力出力回路を構成するものである。本例では、第１のリレーＸ１〜Ｘ８には、半導体リレー等に比べて絶縁性能に優れ耐電圧性が高い直流動作式のメカニカルリレーを採用して、安全管理装置の動作信頼性を高めている。又、第１の基板Ｂ１は、正面１０ａから背面１０ｃへ向かう方向へ起立するように第１の筐体１５内に配置される。
【００５４】
制御スイッチ１３は、例えばディップ（ＤＩＰ）スイッチから成り、故障検出回路と組み合わされて、検知信号の入力が停止した後で第１のリレーの動作を保持して、警報指令信号の出力を維持する回路を形成するためのものである。
【００５５】
以上のように構成された故障検出ユニット１０は、正面１０ａに第１の信号入力部や第１の信号出力部等を含む第１の端子台１１及び第２の端子台１２を設けたので、設置対象面に設置したときに、これら端子台が設置対象面から突出する位置に配置されることになり、端子に各種配線を接続する作業が容易になる。又、第１の基板Ｂ１が設置対象面に対し起立する姿勢に配置されることにより、第１の取付部１４に必要な幅寸法は、第１のリレー等を実装した第１の基板Ｂ１の厚み方向の寸法より大きい寸法であればよい。従って、第１の筐体１５の幅寸法を狭くできるから、故障検出ユニット１０を取り付けるのに必要な面積が小さくて済み、良好なスペースファクターを得ることができるという利点が得られる。
【００５６】
更に、図１に示すように、設置時において、隣接する警報ユニット２０との間に殆ど隙間が生じないので、一部の側壁１６を省略することが可能である。
【００５７】
［警報ユニット］
図４及び図５に示す警報ユニット２０は、ほぼ直方体状の第２の筐体２５に収納された構成を有し、正面２０ａに配置された第３の端子台２１及び第４の端子台２２と、背面側に設けられたフランジ状の第２の取付部２４と、第２の筐体２５内に配置され、第２のリレーＹ１、Ｙ２、第３のリレーＹ３及び第４のリレーＹ４が装着された第２の基板Ｂ２と、タイマーＹ５とを有する。尚、タイマーＹ５には、限時動作瞬時復帰式のオンディレータイマーが使用される。又、タイマーＹ５の時間設定ダイヤル２３は筐体の正面２０ａに配置される。
【００５８】
第３の端子台２１は、外部の電源から電力が入力される端子Ｑ１と、第２の動作電力を出力する端子Ｑ２、Ｑ３と、外部機器と接続するための端子Ｑ４、Ｑ５とを有している。端子Ｑ２、Ｑ３が第２の電力出力部Ｗ２２を構成する。
【００５９】
本例では、端子Ｑ１には交流電力が入力される。又、両端のネジ２７ａ、２７ｂは、第３の端子台２１を筐体に固定するためのものである。
【００６０】
第４の端子台２２は、第２〜第４のリレーを動作させるための第４の動作電力が入力される端子Ｑ６、Ｑ７と、端子Ｑ７と協働して故障検出ユニット１０へ第３の動作電力を出力する端子Ｑ８と、警報指令信号が入力される端子Ｑ９、Ｑ１０とを有している。端子Ｑ６、Ｑ７が第４の電力入力部Ｗ４１を構成し、端子Ｑ９、Ｑ１０が第２の信号入力部Ｕ２１を構成する。
【００６１】
本例では、端子Ｑ６、Ｑ８が正極に対応し、端子Ｑ７が負極に対応する。端子Ｑ９は、ベルを動作させる第２のリレーＹ２と接続され、端子Ｑ１０はブザーを動作させる第２のリレーＹ２に接続される。又、両端のネジ２８ａ、２８ｂは、第４の端子台２２を筐体に固定するためのものである。
【００６２】
第２の基板Ｂ２は、第２〜第４のリレーＹ１〜Ｙ４が実装される警報回路を含む。第２のリレーＹ１、Ｙ２は、警報指令信号に基づき動作して、第２の動作電力を出力するための電力出力回路を形成する。本例では、一方の第２のリレーＹ１がベルの動作用であり、他方の第２のリレーＹ２がブザーの動作用とされる。第３のリレーＹ３は、タイマーの接点動作により動作して、第２のリレーＹ１、Ｙ２への通電回路を遮断するためのものである。第４のリレーＹ４は、第２のリレーＹ１、Ｙ２が動作していないときに、故障検出ユニット１０への第３の動作電力の出力を一時的に遮断して、表示灯の表示復帰を行わせるためのものである。
【００６３】
本例では、第２〜第４のリレーＹ１〜Ｙ４に、絶縁性能に優れ耐電圧性が高い直流動作式のメカニカルリレーを採用して、安全管理装置の動作信頼性を高めている。又、第２の基板Ｂ２は、正面２０ａから背面２０ｃへ向かう方向へ起立するように第２の筐体２５内に配置される。
【００６４】
以上のように構成された警報ユニット２０は、正面２０ａに第２の信号入力部や第２の電力出力部等を含む第３の端子台２１及び第４の端子台２２を設けたので、設置対象面に設置したときに、これら端子台が設置対象面から突出する位置に配置されることになり、端子に各種配線を接続する作業が容易になる。又、第２の基板Ｂ２が設置対象面に対し起立する姿勢に配置されることにより、第２の取付部２５に必要な幅寸法は、第２〜第４のリレー等を実装した第２の基板Ｂ２の厚み方向の寸法より大きい寸法であればよい。従って、第２の筐体１５の幅寸法を狭くできるから、警報ユニット２０を取り付けるのに必要な面積が小さくて済み、良好なスペースファクターを得ることができるという利点が得られる。更に、図１に示すように、設置時において、隣接する電源ユニット３０との間に殆ど隙間が生じないので、一部の側壁２６を省略することが可能である。
【００６５】
［電源ユニット］
図６及び図７に示す電源ユニット３０は、ほぼ直方体状の第３の筐体３５に収納された構成を有し、正面３０ａに配置された第５の端子台３１、電源スイッチ３２、交流電源の入力を表示するＡＣランプ３３ａ、直流電源の出力を表示するＤＣランプ３３ｂ、突入電流等から回路を保護するためのヒューズ３６と、背面側に設けられたフランジ状の第３の取付部３４とを有する。又、正面３０ａにおいて、第３の筐体３５には放熱用の多数の開孔３７が形成される。尚、底面３０ｃの所定の領域３８や側面３０ｄの所定の領域３９にも同様に多数の開孔を形成してもよい。
【００６６】
第３の筐体３５内には、外部の交流電源から入力される交流電力を直流電力に変換するための変換回路が収納される。この変換回路は、例えば設置環境において交流１００Ｖの電源が利用可能な場合、これを直流１００Ｖに変換する。本例では、小電力用に適しており、コンパクト化できるスイッチング方式を採用するが、変換方式はトランス式等でもよく、設置環境に応じた適切なものを選択すればよい。又、直流電流の最大値は、使用するリレーの個数に基づいて設定される。
【００６７】
第５の端子台３１は、外部の交流電源から電力が入力される端子Ｚ１、Ｚ２と、交流電力を変換した直流電力を出力するための端子Ｚ３、Ｚ４とを有している。
【００６８】
以上のように構成された電源ユニット３０は、正面３０ａに第５の端子台３１を設けたので、設置対象面に設置したときに、この端子台が設置対象面から突出する位置に配置されることになり、端子に各種配線を接続する作業が容易になるという利点が得られる。
【００６９】
［機能］
次に、安全管理装置１を構築するための各ユニットの配線接続状態と、各ユニットの機能とについて説明する。尚、以下の説明において「接続」とは原則として「配線による接続」を意味するものとする。
【００７０】
図８は、本発明の第１の実施の形態による安全管理装置の機能的構成を概略的に示すブロック図である。
【００７１】
図８に示すように、この安全管理装置１の故障検出ユニット１０は、第１の基板に装着された複数の第１のリレーＸ１〜Ｘ８と、この第１のリレーＸ１〜Ｘ８に対し直接又は間接的に接続される第１の信号入力部Ｕ１１（端子Ｔ１〜Ｔ８）、第１の信号出力部Ｕ１２（端子Ｐ５、Ｐ６）、第３の電力入力部Ｗ３１（端子Ｐ３、Ｐ４）、第１の電力出力部Ｗ１２（端子Ｐ１、Ｐ２）、第１の電力入力部Ｗ１１（端子Ｐ１、Ｐ２）、及び、制御スイッチ１３とを有する。
【００７２】
警報ユニット２０は、第２の基板に装着された１又は複数の第２のリレーＹ１、Ｙ２と、この第２のリレーＹ１、Ｙ２に対し直接又は間接的に接続された第２の信号入力部Ｕ２１（端子Ｑ９、Ｑ１０）、第２の電力出力部Ｗ２２（端子Ｑ２、Ｑ３）、第４の電力入力部Ｗ４１（端子Ｑ６、Ｑ７）、第３の電力出力部Ｗ３２（端子Ｑ７、Ｑ８）、及び第２の電力入力部Ｗ２１（端子Ｑ１）とを有する。
【００７３】
電源ユニット３０は、交流電力を直流電力に変換するＡＣ／ＤＣ変換回路、交流電力が入力されるＡＣ入力部（端子Ｚ１、Ｚ２）、及び、変換した直流電力を出力するＤＣＡ出力部（端子Ｚ３、Ｚ４）を有する。
【００７４】
故障検出ユニット１０は、第１の信号入力部Ｕ１１に複数のセンサ５０が接続され、第１の電力出力部Ｗ１２に各センサに対応して設けられた複数の表示灯６０が接続される。又、第１の信号出力部Ｕ１２は警報ユニット２０の第２の信号入力部Ｕ２１に接続される。第３の電力入力部Ｗ３１には警報ユニット２０の第３の電力出力部Ｗ３２が接続され、第１の電力入力部Ｗ１１に外部の交流電源４１が接続される。
【００７５】
警報ユニット２０は、第２の電力出力部Ｗ２２が外部の第２の警報装置７０に接続され、第４の電力入力部Ｗ４１には電源ユニット３０のＤＣ出力部が接続され、第２の電力入力部Ｗ２１には外部の交流電源４１が接続される。更に、端子Ｑ４に外部の警報停止スイッチ８１が接続され、端子Ｑ５に外部の表示復帰スイッチ８２が接続される。
【００７６】
電源ユニット３０は、ＡＣ入力部に外部の交流電源４０が接続される。尚、この交流電源４０と上記の交流電源４１とは共通でもよく、別のものでもよい。更に、故障検出ユニットと警報ユニットとで、異なる交流電源を使用することもできる。
【００７７】
このように各ユニットが配線接続された安全管理装置１は、外部の交流電力を電源ユニット３０で直流電力に変換し、これを警報ユニット２０の第４の電力入力部Ｗ４１へ第４の動作電力として供給し、この電力が警報ユニット２０の第３の電力出力部Ｗ３２を介して故障検出ユニット１０の第３の電力入力部Ｗ３１へ第３の動作電力として供給される。また、外部の交流電源４１から交流電力が、第１の電力入力部Ｗ１１を介して故障検出ユニット１０へ、及び、第２の電力入力部Ｗ２１を介して警報ユニット２０へ、それぞれ供給され、表示灯（第１の警報装置）及びベル・ブザー（第２の警報装置）それぞれを動作させることが可能な状態に準備される。
【００７８】
故障検出ユニット１０は、第１の信号入力部Ｕ１１に、複数のセンサ５０のうちのいずれかから検知信号が入力されると、これを第１の信号出力部Ｕ１２から警報ユニット２０へ警報指令信号として出力する。これと同時に、第１の電力出力部Ｗ１２から出力される電力により、検知信号を出力したセンサ５０に対応する表示灯６０の第１の電力出力回路を通電状態にして、この表示灯６０を点灯させる。表示灯６０の点灯は、センサからの検知信号の出力中、維持される。
【００７９】
警報ユニット２０は、第２の信号入力部Ｕ２１に入力された警報指令信号に基づき、第２の電力入力部Ｗ２１を介して取り込んだ電力を、第２の電力出力部Ｗ２２から第２の警報装置７０へ第２の動作電力として出力する。これにより第２の警報装置７０が動作する。しかる後、タイマー（不図示）の時間設定により又は警報停止スイッチ８１を動作させることにより、第２の警報装置７０が動作を停止させる。
【００８０】
又、故障検出ユニット１０の制御スイッチ１３を操作することにより、第１のリレーが動作した後、第１のリレーへの通電状態が維持されるように回路構成して第１の動作電力の出力を継続させ、センサからの検知信号が停止した後も、表示灯６０の点灯が維持されるように設定することができる。
【００８１】
［配線］
図９は、本発明の第１の実施の形態による故障検出ユニット、警報ユニット、及び電源ユニットの配線接続状況を模式的に示す概略図である。
【００８２】
多数のセンサに対応するため、故障検出ユニット１０を増設する必要がある場合、本例の安全管理装置１は、図９に示すように、警報ユニット２０に隣接する故障検出ユニット１０−１だけを警報ユニット２０と配線接続し、複数の故障検出ユニット１０−１〜１０−３間の接続については、それぞれの第１の信号出力部（端子Ｐ５、Ｐ６）どうし、及び第３の電力入力部（端子Ｐ３、Ｐ４）どうしを順に渡り線Ｊ１〜Ｊ４で接続すればよい。又、この例では、第１の電力入力部（端子Ｐ１、Ｐ２）どうしも渡り線Ｊ５、Ｊ６で直列に接続している。これにより、これら複数の故障検出ユニット１０を直列に接続して、電源ユニット３０からの第３の動作電力の供給、警報ユニット２０に対する警報指令信号の出力、及び外部交流電力の取り込みを実行するための配線を共用化することができる。
【００８３】
このような構成により、監視対象の個数が多くセンサを多数必要とする場合でも、センサの個数に応じた個数の故障検出ユニット１０を準備し、各故障検出ユニット１０をそれぞれセンサ及び表示灯と配線接続すると共に、各故障検出ユニット１０間を渡り線で直列に接続するだけで、複数の故障検出ユニット１０を安全管理装置に組み込むことが可能であるので、多数のセンサに対応できる安全管理装置１を容易に提供することができる。又、設置後に監視対象のセンサ数を増やす場合であっても、故障検出ユニット１０の増設が容易である。この場合、故障検出ユニット１個あたりが必要とする設置面積が小さいから、限られた設置領域でも増設できる可能性が高い。
【００８４】
［回路構成］
次に、安全管理装置が上記の機能を発揮するための、故障検出ユニット１０及び警報ユニット２０が備える各回路の構成について説明する。
【００８５】
図１０は、本発明の第１の実施の形態による故障検出ユニットの回路構成を示す回路図であり、図１１は、本発明の第１の実施の形態による警報ユニットの回路構成を示す回路図である。
【００８６】
図１０に示すように、故障検出ユニット１０の故障検出回路は、第１のリレーＸ１〜Ｘ８を含む信号制御部Ｃ１と、ディップスイッチ基板等で構成される制御スイッチ部Ｃ２と、表示灯６０へ通電するための表示回路部Ｃ３とを含む。信号制御部Ｃ１と表示回路部Ｃ３とは第１の基板Ｂ１に形成される。符号Ｆ１〜Ｆ８で示されるセンサ５０と、符号Ｌ１〜Ｌ８で示される表示灯６０は、ユニット外部に位置する。
【００８７】
信号制御部Ｃ１は、第１のリレーＸ１〜Ｘ８それぞれに対応する接点Ｓｘ１１、Ｓｘ１２〜Ｓｘ８１、Ｓｘ８２を含み、符号Ｆ１〜Ｆ８で示されるセンサ５０からの検知信号を入力するための端子Ｔ１〜Ｔ８から成る第１の信号入力部Ｕ１１と、警報指令信号を出力するための端子Ｐ５、Ｐ６と、第３の動作電力の負極側の端子Ｐ３とが接続される。
【００８８】
制御スイッチ部Ｃ２は、別の基板で構成され、第３の電力入力部の端子Ｐ４に接続される。
【００８９】
表示回路部Ｃ３には、表示灯６０への通電を制御するための接点Ｓｘ１１、Ｓｘ１２〜Ｓｘ８１、Ｓｘ８２が含まれ、これらは第１のリレーＸ１〜Ｘ８の上記接点と共通である。
【００９０】
図１１に示す警報回路Ｃ４は、２つの第２のリレーＹ１、Ｙ２と、第３及び第４のリレーＹ３、Ｙ４と、タイマーＹ５とを備える。尚、図面においてＳｙ１１〜Ｓｙ１４は第２のリレーＹ１の接点、Ｓｙ２１〜Ｓｙ２４は第２のリレーＹ２の接点、Ｓｙ３１、Ｓｙ３２は第３のリレーＹ３の接点、Ｓｙ４１は第４のリレーＹ４の接点、Ｓｙ５１はタイマーＹ５の接点を示している。第２のリレーＹ１はベル動作用、第２のリレーＹ２はブザー動作用であり、第３のリレーＹ３はタイマーＹ５の接点Ｓｙ５１及び警報停止スイッチ８１と接続され、第４のリレーＹ４は接点Ｓｙ１４、Ｓｙ２４を介して表示復帰スイッチ８２と接続され、タイマーＹ５は第２のリレーＹ１、Ｙ２の接点Ｓｙ１３、Ｓｙ２３と接続される。尚、第２のリレーＹ１、Ｙ２には、コンデンサと抵抗とが並列に接続され、これらは入力したパルス状の信号の継続時間を延長する延長手段として機能する。又、第２の警報装置７０であるベル７１及びブザー７２はユニット外部に配置される。
【００９１】
［回路動作］
続いて、上に説明した故障検出回路及び警報回路の動作について説明する。
【００９２】
図１２Ａ〜１２Ｄはいずれも、本発明の第１の実施の形態による故障検出ユニットの回路動作を説明するための回路図であって、図１２Ａは初期状態を示すものであり、図１２Ｂは検知信号の入力時を示すものであり、図１２Ｃは第１のリレーの動作時の状態を示すものであり、図１２Ｄは制御スイッチをＯＮにした状態での動作を示すものである。
【００９３】
又、図１３Ａ〜１３Ｆはいずれも、本発明の第１の実施の形態による警報ユニットの回路動作を説明するための回路図であって、図１３Ａは初期状態を示すものであり、図１３Ｂは警報指令信号が入力された状態を示すものであり、図１３Ｃは第２のリレーが動作して、第２の動作電力が出力されている状態を示すものであり、図１３Ｄはタイマーが動作して、タイマー接点がＯＮになった直後の状態を示すものであり、図１３Ｅは第３のリレーが動作して、第１のリレーがＯＦＦになり、第２の動作電力の出力が停止した状態を示すものであり、図１３Ｆは表示復帰スイッチをＯＮにすることにより、第４のリレーを動作させて、第３の動作電力の出力を停止させた状態を示すものである。
【００９４】
尚、図１２Ａ〜図１２Ｄでは、回路動作の説明を簡明にするため、１つの第１のリレーＸ１と、これに対応する表示灯６０（Ｌ１）及び制御スイッチ１３（ＤＩＰ１）を含む回路部分を取り出して示すものであり、他の第１のリレーＸ２〜Ｘ８に関連する回路動作は共通なので、それらの説明を省略する。
【００９５】
又、図１２Ａ〜図１２Ｄ及び図１３Ａ〜図１３Ｆでは、通電状態にある回路を実線で示し、非通電状態の回路を破線で示してある。
【００９６】
又、回路動作の説明を明瞭にするため、図１２Ａ〜図１２Ｄにおいて、回路上の適所を点Ａ１〜点Ａ５と指定した。
【００９７】
又、図１３Ａ〜図１３Ｆにおいて、端子Ｑ１―接点Ｓｙ１２―端子Ｑ２を通る回路をＣ１１、端子Ｑ１―接点Ｓｙ２２―端子Ｑ３を通る回路をＣ１２、タイマーＹ５を通る回路をＣ１３、端子Ｑ４―第３のリレーＹ３を通る回路をＣ１４、タイマー接点Ｓｙ５１―第３のリレーＹ３を通る回路をＣ１５、端子Ｑ９―第２のリレーＹ１を通る回路をＣ１６、接点Ｓｙ３１―接点Ｓｙ１１―第２のリレーＹ１を通る回路Ｃ１７、端子Ｑ１０―第２のリレーＹ２を通る回路をＣ１８、接点Ｓｙ３２―接点Ｓｙ２１―第２のリレーＹ２を通る回路をＣ１９、端子Ｑ５―第４のリレーＹ４を通る回路をＣ２０、接点Ｓｙ４１―端子Ｑ８を通る回路Ｃ２１とする。
【００９８】
更に、警報指令信号は、故障検出ユニットの端子Ｐ５から出力され、警報ユニットのベル動作用の端子Ｑ９に入力されるものとする。
【００９９】
回路動作の要点は以下の通りである。
（１）図１２Ａ及び図１３Ａはいずれも回路の初期状態を示している。図１２Ａで表示灯６０には通電されていない。
【０１００】
（２）先ず、図１２Ｂに示すように、センサ５０から検知信号が故障検知ユニットに入力される（Ｆ１がＯＮ状態になる）と、第１のリレーＸ１が通電されると共に、第１のリレーＸ１が通電されてから接点動作が完了するまでの時間、Ａ１−Ａ２−Ａ５−Ｐ５を通る回路を通じて、端子Ｐ５から警報指令信号が警報ユニットへ出力される。第１のリレーＸ１が通電されてから接点動作が完了するまでの時間は、リレーの特性によって定まる所定の時間である。
【０１０１】
（３）第１のリレーＸ１は、通電されることにより動作して、図１２Ｃに示すように、接点Ｓｘ１１をＯＮ、接点Ｓｘ１２をＯＦＦに切り替える。これにより、表示灯６０に通電され、表示灯６０が点灯する。表示灯６０は、センサからの検知信号の入力が持続し、第１のリレーＸ１が動作している間、点灯を維持する。センサからの検知信号の出力が停止して、第１のリレーＸ１が初期状態に復帰したら、表示灯６０の点灯も終了する。
【０１０２】
（４）図１３Ｂに示すように、警報ユニットに入力された警報指令信号は、回路Ｃ１６に通電される。第２のリレーＹ１に通電される警報指令信号の継続時間は短いが、コンデンサと抵抗との組み合わせで構成される延長手段により、第２のリレーＹ１における通電時間が延長される。その結果、第２のリレーＹ１が動作することにより、図１３Ｃに示すように、接点Ｓｙ１１、Ｓｘ１２及びＳｘ１３がＯＮになり、回路Ｃ１１、Ｃ１３及びＣ１７が通電状態となる。回路Ｃ１１が通電状態となることにより、端子Ｑ１から取り込んだ外部電力が第２の動作電力としてベル７１へ出力され、ベル７１を鳴動させる。回路Ｃ１３が通電状態となることにより、タイマーＹ５が起動する。回路Ｃ１７が通電状態となることにより第２のリレーＹ１への通電が維持され、端子Ｑ９からの警報指令信号の入力が停止しても、第２のリレーＹ２の動作が保持される。
【０１０３】
（５）続いて、タイマーＹ５の設定時間が経過すると、図１３Ｄに示すように、タイマー接点Ｓｙ５１がＯＮになることにより、回路Ｃ１５が通電状態になり、第３のリレーＹ３を起動させる。そうすると、図１３Ｅに示すように、回路Ｃ１７に在る接点Ｓｙ３１がＯＦＦになり、第２のリレーＹ１への通電が遮断され、その結果、第２のリレーＹ１が復帰動作して接点Ｓｙ１１、Ｓｙ１２、Ｓｙ１３がＯＦＦになり、初期状態に復帰する。即ち、回路Ｃ１１からの第２の動作電力の出力が停止し、ベル７１が鳴動を終了する。又、回路Ｃ１３への通電が遮断されることにより、タイマーＹ５がリセットされる。更に、接点Ｓｙ１１がＯＦＦになるから、タイマーＹ５がリセットされて第３のリレーＹ３が復帰動作しその接点Ｓｙ３１がＯＮ状態に戻っても、回路Ｃ１７は非通電状態に維持される。
【０１０４】
（６）ところで、警報ユニットには警報停止スイッチが接続されている。図１３Ｃにおいて、警報停止スイッチ８１をＯＮにすると回路Ｃ１４が通電状態となり、タイマー接点Ｓｙ５１がＯＮになる前でも、第３のリレーＹ３に通電してこれを動作させることが可能である。第３のリレーＹ３の通電後の動作は、上記（４）と同様である。従って、警報停止スイッチ８１は、タイマーの設定時間経過前に警報装置の動作を停止させたい場合に用いることができる。
【０１０５】
ところで、上記（１）〜（５）で説明した回路は、センサが異常や故障を検知して検出信号を出力した後、タイマーで設定された時間が経過すると、警報装置が動作を自動的に停止するように構成されている。このため、作業者や管理者がタイマーの設定時間内に警報に気付かなかった場合、設備等の異常や故障の発生を看過するおそれがある。もし仮に、検知した故障や異常が、設備停止や製品の品質低下をもたらしたり、安全上又は公害上の問題を引き起こしたりする可能性が有る重故障に該当する場合、これを看過すると重大な問題になり得る。
【０１０６】
そこで本例では、故障検出ユニット１０に、検知信号の入力が停止した後で、表示灯６０の点灯を維持する回路を形成するための制御スイッチを設けて、次に説明するように上記の問題に対処した。
【０１０７】
（７）図１２Ａにおいて、センサ５０を重故障の検知用とし、制御スイッチ１３をＯＮ状態に設定する。そうすると、検知信号の入力に基づき第１のリレーＸ１が動作して接点Ｓｘ１１がＯＮになると、図１２Ｄに示すように、Ａ４−Ａ５−Ａ２を通る回路が形成され、第１のリレーＸ１を通電状態に維持することができる。これにより、検知信号の出力が停止した後でも、第１のリレーＸ１への通電状態が維持されるから、表示灯６０への通電が継続される。
【０１０８】
この回路構成によれば、センサからの検知信号が停止した後も、表示灯６０の点灯が継続する。表示灯６０を初期状態に復帰させるには、表示復帰スイッチ８２を操作する。表示復帰スイッチ８２をＯＮ操作することにより、図１３Ｆに示すように、第４のリレーＹ４が動作して、警報ユニットから故障検出ユニットへ第３の動作電力を出力するための回路Ｃ２１を開状態にする。その結果、故障検出ユニットの第１のリレーＸ１への通電が遮断され、第１のリレーＸ１が初期状態に復帰することにより、表示灯６０への通電も停止する。
【０１０９】
このようにして本例では、表示灯６０の点灯を見逃す可能性を少なくし、重故障の発生を確実に認識して、これに対処することができるから、生産設備等において重大な問題が発生するのを未然に防ぐことができる。
【０１１０】
尚、上記の実施の形態において、各ユニットに設けられる端子台の個数や端子の配置については、適宜変更することができる。
【０１１１】
又、故障検出ユニットに備えられるリレーの個数は、１ユニットあたり８個の場合を例示したが、１ユニット当たり９個以上であっても、７個以下であってもよい。更に又、警報ユニットに備えられるリレーの個数についても、４個を使用する場合を例示したが、５個以上であっても、３個以下であってもよい。
【０１１２】
更に、前記の例では、故障検出ユニットから出力される警報指令信号をベル動作用の端子に入力する場合について説明したが、ブザー動作用の端子に入力されるよう構成してもよい。更に、複数の第１のリレーを複数にグループ分けし、１部のグループはベルを動作させ、他のグループはブザーを動作させるように構成してもよい。
【０１１３】
リレーについては、メカニカル式としたが、半導体式のリレーを用いて、同等の機能を実現させることも可能である。
【０１１４】
更に、電源ユニットは、交流電力を直流電力に変換するものについて説明したが、直流に変換せず、定格等を変更するものであってもよい。
【０１１５】
更に、電源ユニットから、警報ユニットを介して故障検出ユニットへ電力を供給するように配線接続するものとしたが、電源ユニットから直接、故障検出ユニットへ電力を供給するように配線接続してもよい。
【０１１６】
更に、設置場所において適切な直流電力を得られる場合は、電源ユニットを省略してもよい。
【符号の説明】
【０１１７】
１…安全管理装置
１０…故障検出ユニット
１０ａ…正面
１０ｂ…底面
１０ｃ…背面
１１…第１の端子台
１２…第２の端子台
１３…制御スイッチ
１４…第１の取付部
１５…第１の筐体
１６…側壁
１７、１８…ネジ（固定用）
２０…警報ユニット
２０ａ…正面
２０ｃ…背面
２１…第３の端子台
２２…第４の端子台
２３…時間設定ダイヤル
２４…第２の取付部
２５…第２の筐体
２６…側壁
２７ａ、２７ｂ、２８ａ、２８ｂ…ネジ（固定用）
３０…電源ユニット
３０ａ…正面
３０ｂ…底面
３０ｃ…背面
３０ｄ…側面
３１…第５の端子台
３２…電源スイッチ
３３ａ…ＡＣランプ
３３ｂ…ＤＣランプ
３４…第３の取付部
３５…第３の筐体
３６…ヒューズ
３７…開孔
３８、３９…開孔の形成領域
４０、４１…交流電源
５０…センサ
６０…表示灯
７０…第２の警報装置
７１…ベル
７２…ブザー
８１…警報停止スイッチ
８２…表示復帰スイッチ
尚、各図中同一符号は同一又は相当部分を示す。
【図１】
2020170450.tif 000003
【図２】
2020170450.tif 000004
【図３】
2020170450.tif 000005
【図４】
2020170450.tif 000006
【図５】
2020170450.tif 000007
【図６】
2020170450.tif 000008
【図７】
2020170450.tif 000009
【図８】
2020170450.tif 000010
【図９】
2020170450.tif 000011
【図１０】
2020170450.tif 000012
【図１１】
2020170450.tif 000013
【図１２Ａ】
2020170450.tif 000014
【図１２Ｂ】
2020170450.tif 000015
【図１２Ｃ】
2020170450.tif 000016
【図１２Ｄ】
2020170450.tif 000017
【図１３Ａ】
2020170450.tif 000018
【図１３Ｂ】
2020170450.tif 000019
【図１３Ｃ】
2020170450.tif 000020
【図１３Ｄ】
2020170450.tif 000021
【図１３Ｅ】
2020170450.tif 000022
【図１３Ｆ】
2020170450.tif 000023
【手続補正書】
【提出日】令和2年5月15日(2020.5.15)
【手続補正１】
【補正対象書類名】明細書
【補正対象項目名】００１４
【補正方法】変更
【補正の内容】
【００１４】
請求項４記載の発明は、請求項１から請求項３のいずれかに記載の発明の構成において、複数のセンサとは異なる別の複数のセンサ及びこれら別の複数のセンサそれぞれに対応して設けられる別の複数の第１の警報装置それぞれと電気的に接続される１つ以上の別の故障検出ユニットを更に含み、各故障検出ユニットそれぞれの第１の電力入力部どうし及び第１の信号出力部どうしが渡り線で接続されることにより、複数の故障検出ユニットが電気的に接続されるものである。
【手続補正２】
【補正対象書類名】明細書
【補正対象項目名】００１５
【補正方法】変更
【補正の内容】
【００１５】
このように構成すると、複数の故障検出ユニットを渡り線で接続するので、第１の電源からの第１の動作電力の供給及び警報ユニットに対する警報指令信号の伝送が、共通の配線を通じて実行される。
【手続補正３】
【補正対象書類名】明細書
【補正対象項目名】００１６
【補正方法】変更
【補正の内容】
【００１６】
請求項５記載の発明は、請求項３又は請求項４記載の発明の構成において、警報ユニットは、第３の電源と電気的に接続され第４の動作電力が入力される第４の電力入力部、第４の電力入力部と電気的に接続され第２のリレーの動作時に閉となる接点を介して第２のリレーに通電するための第２のリレー通電回路、第４の電力入力部と電気的に接続され第２のリレー通電回路の開閉を制御する第３のリレー、及び、第４の電力入力部と電気的に接続され、第２のリレーの動作により動作を開始して、第３のリレーにおける通電状態を設定時間に従って制御するタイマーを更に備えるものである。
【手続補正４】
【補正対象書類名】明細書
【補正対象項目名】００１８
【補正方法】変更
【補正の内容】
【００１８】
請求項６記載の発明は、請求項５記載の発明の構成において、独立した第３の筐体に収納された構成を有し、故障検知ユニットに対し第３の動作電力を出力し、警報ユニットに対し第４の動作電力を出力する電源ユニットを更に備えるものである。
【手続補正５】
【補正対象書類名】明細書
【補正対象項目名】００１９
【補正方法】変更
【補正の内容】
【００１９】
このように構成すると、安全管理装置が、故障検知ユニット及び警報ユニットと、これらに対し動作電力を出力する電源ユニットとで構成される。
【手続補正６】
【補正対象書類名】明細書
【補正対象項目名】００２８
【補正方法】変更
【補正の内容】
【００２８】
請求項１１記載の発明は、請求項１から請求項１０のいずれかに記載の発明の構成において、警報ユニットが収納される第２の筐体は、直方体状であって、その正面に第２の信号入力部、第２の電力入力部及び第２の電力出力部が設けられ、背面に設置対象面へ固定するための第２の取付部が設けられ、警報ユニットは、第２のリレーが装着される第２の基板を有し、第２の基板は、第２の筐体の正面から背面へ向かう方向へ起立するように第２の筐体内に配置されるものである。
【手続補正７】
【補正対象書類名】明細書
【補正対象項目名】００３５
【補正方法】変更
【補正の内容】
【００３５】
請求項４記載の発明によれば、請求項１から請求項３のいずれかに記載の発明の効果に加えて、複数の故障検出ユニットを渡り線で接続するだけで、それらを安全管理装置に組み込めるので、監視対象のセンサ数に応じ故障検出ユニットの増設が容易である。
【手続補正８】
【補正対象書類名】明細書
【補正対象項目名】００３６
【補正方法】変更
【補正の内容】
【００３６】
請求項５記載の発明によれば、請求項３又は請求項４記載の発明の効果に加えて、第２の警報装置の動作時間を、タイマーにより設定することができる。
【手続補正９】
【補正対象書類名】明細書
【補正対象項目名】００３７
【補正方法】変更
【補正の内容】
【００３７】
請求項６記載の発明によれば、請求項５記載の発明の効果に加えて、電源ユニットを備えることにより、様々に異なる設置環境下においても、故障検知ユニット及び警報ユニットに対し、適切な動作電力を供給することができる。
【手続補正１０】
【補正対象書類名】明細書
【補正対象項目名】００８２
【補正方法】変更
【補正の内容】
【００８２】
多数のセンサに対応するため、故障検出ユニット１０を増設する必要がある場合、本例の安全管理装置１は、図９に示すように、警報ユニット２０に隣接する故障検出ユニット１０−１だけを警報ユニット２０と配線接続し、複数の故障検出ユニット１０−１〜１０−３間の接続については、それぞれの第１の信号出力部（端子Ｐ５、Ｐ６）どうし、及び第３の電力入力部（端子Ｐ３、Ｐ４）どうしを順に渡り線Ｊ１〜Ｊ４で接続すればよい。又、この例では、第１の電力入力部（端子Ｐ１、Ｐ２）どうしも渡り線Ｊ５、Ｊ６で順に接続している。これら複数の故障検出ユニット１０を渡り線で接続することにより、電源ユニット３０からの第３の動作電力の供給、警報ユニット２０に対する警報指令信号の出力、及び外部交流電力の取り込みを実行するための配線を共用化することができる。
【手続補正１１】
【補正対象書類名】明細書
【補正対象項目名】００８３
【補正方法】変更
【補正の内容】
【００８３】
このような構成により、監視対象の個数が多くセンサを多数必要とする場合でも、センサの個数に応じた個数の故障検出ユニット１０を準備し、各故障検出ユニット１０をそれぞれセンサ及び表示灯と配線接続すると共に、各故障検出ユニット１０間を渡り線で順に接続するだけで、複数の故障検出ユニット１０を安全管理装置に組み込むことが可能であるので、多数のセンサに対応できる安全管理装置１を容易に提供することができる。又、設置後に監視対象のセンサ数を増やす場合であっても、故障検出ユニット１０の増設が容易である。この場合、故障検出ユニット１個あたりが必要とする設置面積が小さいから、限られた設置領域でも増設できる可能性が高い。
【手続補正１２】
【補正対象書類名】特許請求の範囲
【補正対象項目名】全文
【補正方法】変更
【補正の内容】
【特許請求の範囲】
【請求項１】
故障検出ユニット及び警報ユニットを備え、監視対象に設置した複数のセンサから出力される検知信号の各々に基づき、前記複数のセンサそれぞれに対応して設けられる複数の第１の警報装置及び少なくとも１つの第２の警報装置を動作させるための安全管理装置であって、
前記故障検出ユニットは、
前記複数のセンサごとに対応して設けられる複数の第１の信号入力部、及び、前記警報ユニットと電気的に接続される第１の信号出力部を有し、前記複数のセンサ各々から前記第１の信号入力部に入力される前記検知信号を前記第１の信号出力部から前記警報ユニットへ警報指令信号として出力するための信号出力回路と、
外部の第１の電源と電気的に接続される第１の電力入力部及び前記複数の第１の警報装置に対応して設けられる複数の第１の電力出力部を有し、前記第１の電源から前記第１の電力入力部に入力される第１の動作電力を前記第１の電力出力部それぞれから対応する前記第１の警報装置へ出力するための第１の電力出力回路と、
前記複数のセンサ及び前記複数の第１の警報装置ごとに対応して設けられ、前記検知信号の各々に基づき動作して、前記信号出力回路の開閉を制御することにより前記警報ユニットへの警報指令信号の出力を制御すると共に、前記第１の電力出力回路の開閉を制御することにより前記複数の第１の警報装置それぞれへの前記第１の動作電力の出力を制御する複数の第１のリレーとを有し、
前記警報ユニットは、
前記第１の信号出力部と電気的に接続され前記警報指令信号が入力される第２の信号入力部と、
外部の第２の電源と電気的に接続される第２の電力入力部及び前記第２の警報装置と電気的に接続される第２の電力出力部を有し、前記第２の電源から前記第２の電力入力部に入力される第２の動作電力を前記第２の電力出力部から前記第２の警報装置へ出力するための第２の電力出力回路と、
前記警報指令信号に基づき動作して、前記第２の電力出力回路の開閉を制御することにより、前記第２の警報装置への前記第２の動作電力の出力を制御する第２のリレーとを有し、
前記故障検知ユニット及び前記警報ユニットは、それぞれ独立した第１の筐体及び第２の筐体に収納された構成を有する、安全管理装置。
【請求項２】
前記第１のリレーは、前記検知信号が入力されてから予め定められる所定時間の経過後動作して、前記信号出力回路を開状態に設定するものであって、
前記信号出力回路は、前記検知信号が入力されてから前記第１のリレーが動作するまでの前記所定時間を継続時間とする前記警報指令信号を、前記警報ユニットへ出力するように設定され、
前記警報ユニットは、入力された前記警報指令信号の前記第２のリレーにおける通電時間を前記所定時間よりも長くするための延長手段を更に備える、請求項１記載の安全管理装置。
【請求項３】
前記故障検出ユニットは、第３の電源と電気的に接続され第３の動作電力が入力される第３の電力入力部を有すると共に前記第１のリレーの動作時に閉となる接点を通じて前記第３の動作電力により前記第１のリレーに通電するための第１のリレー通電回路と、前記第１のリレー通電回路の開閉を制御する制御スイッチとを更に含み、
前記第１のリレー通電回路は、前記第１のリレーが動作した状態で前記検知信号の入力が停止した後に前記第１のリレーの通電状態を維持するものである、請求項１又は請求項２記載の安全管理装置。
【請求項４】
前記複数のセンサとは異なる別の複数のセンサ及びこれら別の複数のセンサそれぞれに対応して設けられる別の複数の第１の警報装置それぞれと電気的に接続される１つ以上の別の故障検出ユニットを更に含み、
前記各故障検出ユニットそれぞれの前記第１の電力入力部どうし及び前記第１の信号出力部どうしが渡り線で接続されることにより、複数の前記故障検出ユニットが電気的に接続される、請求項１から請求項３のいずれかに記載の安全管理装置。
【請求項５】
前記警報ユニットは、
前記第３の電源と電気的に接続され第４の動作電力が入力される第４の電力入力部、
前記第４の電力入力部と電気的に接続され前記第２のリレーの動作時に閉となる接点を介して前記第２のリレーに通電するための第２のリレー通電回路、
前記第４の電力入力部と電気的に接続され前記第２のリレー通電回路の開閉を制御する第３のリレー、及び、
前記第４の電力入力部と電気的に接続され、前記第２のリレーの動作により動作を開始して、前記第３のリレーにおける通電状態を設定時間に従って制御するタイマーを更に備える、請求項３又は請求項４記載の安全管理装置。
【請求項６】
独立した第３の筐体に収納された構成を有し、前記故障検知ユニットに対し前記第３の動作電力を出力し、前記警報ユニットに対し前記第４の動作電力を出力する電源ユニットを更に備える、請求項５記載の安全管理装置。
【請求項７】
前記警報ユニットは、前記第４の電力入力部と電気的に接続される第３の電力出力部を有する第３の電力出力回路と、前記第３の電力出力回路の開閉を制御する開閉スイッチとを更に備え、
前記警報ユニットの前記第３の電力出力部と、前記故障検出ユニットの前記第３の電力入力部とが電気的に接続され、
前記電源ユニットが前記警報ユニットに電気的に接続され、前記電源ユニットから前記警報ユニットへ入力される前記第４の動作電力が、前記故障検出ユニットへ第３の動作電力として出力される、請求項６記載の安全管理装置。
【請求項８】
前記電源ユニットは交流電力を変換した直流電力を出力するものであり、前記第１のリレー及び前記第２のリレーは直流で動作するメカニカルリレーである、請求項６又は請求項７記載の安全管理装置。
【請求項９】
前記第１の警報装置は光、文字、記号、図形等の視覚的警報を出力するものであり、
前記第２の警報装置は警報音、音声メッセージ等の音響的警報を出力するものである、
請求項１から請求項８のいずれかに記載の安全管理装置。
【請求項１０】
前記故障検出ユニットが収納される前記第１の筐体は、直方体状であって、その正面に前記第１の電力入力部、前記第１の電力出力部、前記第１の信号入力部、及び前記第１の信号出力部が設けられ、背面に設置対象面へ固定するための第１の取付部が設けられ、
前記故障検出ユニットは、前記第１のリレーが装着される第１の基板を有し、
前記第１の基板は、前記第１の筐体の正面から背面へ向かう方向へ起立するように前記第１の筐体内に配置される、請求項１から請求項９のいずれかに記載の安全管理装置。
【請求項１１】
前記警報ユニットが収納される前記第２の筐体は、直方体状であって、その正面に前記第２の信号入力部、第２の電力入力部及び前記第２の電力出力部が設けられ、背面に設置対象面へ固定するための第２の取付部が設けられ、
前記警報ユニットは、前記第２のリレーが装着される第２の基板を有し、
前記第２の基板は、前記第２の筐体の正面から背面へ向かう方向へ起立するように前記第２の筐体内に配置される、請求項１から請求項１０のいずれかに記載の安全管理装置。
【請求項１２】
前記第１の筐体、前記第２の筐体、及び前記第３の筐体は、それぞれ高さ寸法と奥行き寸法とを共通にした直方体状である、請求項１０又は請求項１１記載の安全管理装置。